(57)【要約】【課題】簡単な操作で照明スタンドを机の天板上面に取り付けることができ、しかも、照明スタンドの十分な取り付け安定性を確保することが可能な照明スタンドの取り付け構造を提供する。【解決手段】照明スタンドの取り付け構造１を、机の天板上面３に固定した、前後方向に延びる一対の側方突出部４１を有する支持部２３と、照明スタンド５の脚部７の底部に設けた、前後方向に延びる一対の係合部１０９を有する取り付け部２７と、から構成し、側方突出部４１を、前方に向かって下側に傾斜して形成しておく。取り付け部２７が前方にスライド移動すると、側方突出部４１が、係合部１０９に当接又は接触して下側に押しやり、取り付け部２７を机の天板上面３に対して押し付けて、照明スタンド５を机の天板上面３に固定する。【選択図】  図６
2004261401.tif 000002
【特許請求の範囲】
【請求項１】
机の天板上面に固定された支持本体及びこの支持本体の幅方向両側に所定の高さ位置で前後方向に延びるように設けられた一対の側方突出部を有する支持部と、それぞれの前記側方突出部の下側に入り込んで前記側方突出部と係合する一対の係合部を有して照明スタンドの底部に設けられた取り付け部と、を備え、前記取り付け部を机の天板上面に沿ってスライドさせ、前記係合部を前記側方突出部の下側に入りこませることにより、前記取り付け部を前記支持部に取り付ける照明スタンドの取り付け構造であって、
前記係合部が前記側方突出部の下側に所定位置まで入り込むと、前記側方突出部が前記係合部を下側に押圧し、前記取り付け部を机の天板上面に対して押し付けるように、前記側方突出部又は前記係合部は、前後方向に向かって傾斜して形成されている、ことを特徴とする照明スタンドの取り付け構造。
【請求項２】
前記側方突出部はそれぞれ、前記支持本体の幅方向両側の側面から外側に突出するように形成され、
前記係合部はそれぞれ、前記取り付け部の幅方向両側に対向して配置されている側面から内側に突出するように形成されていて、
前記支持本体の前記側面間の幅は、前方に向かって漸次大きくなるように設定され、
それぞれの前記係合部の側端が全長又はほぼ全長にわたって前記支持本体の前記側面に当接又は接触するように、あるいは、それぞれの前記側方突出部の側端が全長又はほぼ全長にわたって前記取り付け部の前記側面に当接又は接触するように、前記取り付け部の前記側面間の間隔は、前記支持本体の前記側面間の幅に対応して、前方に向かって漸次大きくなるように設定されている、ことを特徴とする請求項１記載の照明スタンドの取り付け構造。
【請求項３】
前記側方突出部はそれぞれ、前記支持本体の幅方向両側に対向して配置されている側面から内側に突出するように形成され、
前記係合部はそれぞれ、前記取り付け部の幅方向両側の側面から外側に突出するように形成されていて、
前記支持本体の前記側面間の幅は、前方に向かって漸次小さくなるように設定され、
それぞれの前記係合部の側端が全長又はほぼ全長にわたって前記支持本体の前記側面に当接又は接触するように、あるいは、それぞれの前記側方突出部の側端が全長又はほぼ全長にわたって前記取り付け部の前記側面に当接又は接触するように、前記取り付け部の前記側面間の間隔は、前記支持本体の前記側面間の幅に対応して、前方に向かって漸次小さくなるように設定されている、ことを特徴とする請求項１記載の照明スタンドの取り付け構造。
【請求項４】
前記取り付け部は、前記係合部を前記側方突出部の下側にスライドさせて入り込ませたときに、前記支持本体に設けられている固定部とスナップ係合する抜け止め部を有している、ことを特徴とする請求項１、２又は３記載の照明スタンドの取り付け構造。
【請求項５】
前記固定部には解除部が形成されていて、この解除部を操作することにより、前記固定部と前記抜け止め部との係合が解除される、ことを特徴とする請求項４記載の照明スタンドの取り付け構造。
【発明の詳細な説明】
【０００１】
【発明の属する技術分野】
本発明は、机、特に学童用学習机に照明スタンドを取り付ける場合の取り付け構造に関する。
【０００２】
【従来の技術】
学童用学習机には通常、天板上面に照明スタンドが取り付けられる。机の天板上面への照明スタンドの取り付け構造としては、Ｔ字状の凸条を有する係合受具を机の天板上面に固定し、照明スタンドの下端部に形成された係合部の一対の摺動溝を、凸条のそれぞれのフランジに嵌めるとともに、係合部を凸条に沿って適当な位置までスライドさせて照明スタンドを取り付けるといったものが知られている（例えば特許文献１参照）。このような照明スタンドの取り付け構造を用いれば、簡単に、照明スタンドを机の天板上面に取り付けたり、机の天板上面から取り外したりすることが可能となる。また、特許文献１には、係合受具の抑止舌片を、摺動角座と、この摺動角座のボルトにねじ込まれたボスとで挟み付け、照明スタンドの下端部に形成された嵌合部をボスに被せるといった照明スタンドの取り付け構造も記載されている。
【０００３】
【特許文献１】
実開平６−５０１５９号公報（第２頁、図３及び図４）
【０００４】
【発明が解決しようとする課題】
しかしながら、照明スタンドの下端部に形成された係合部の摺動溝を、凸条のフランジに嵌める取り付け構造では、係合部を凸条に沿ってスライドさせて照明スタンドの取り付け位置を自由に変更できるといった利点がある反面、摺動溝とフランジとの間などには隙間が生じているので、照明スタンドの取り付け安定性が確保できないといった問題点がある。係合受具の抑止舌片を、摺動角座と、この摺動角座のボルトに螺着されたボスとで挟み付ける取り付け構造では、照明スタンドの取り付け安定性は向上するが、特にボスが小径の場合には、抑止舌片を強く挟み付けるようにボスをボルトに螺着するのが困難な場合も多く、照明スタンドの十分な取り付け安定性を簡単には確保できない。
【０００５】
そこで本発明は、簡単な操作で照明スタンドを机の天板上面に取り付けることができ、しかも、照明スタンドの十分な取り付け安定性を確保することが可能な照明スタンドの取り付け構造の提供を目的とする。
【０００６】
【課題を解決するための手段】
この目的を達成するための本発明の照明スタンドの取り付け構造は、机の天板上面に固定された支持本体及びこの支持本体の幅方向両側に所定の高さ位置で前後方向に延びるように設けられた一対の側方突出部を有する支持部と、それぞれの前記側方突出部の下側に入り込んで前記側方突出部と係合する一対の係合部を有して照明スタンドの底部に設けられた取り付け部と、を備え、前記取り付け部を机の天板上面に沿ってスライドさせ、前記係合部を前記側方突出部の下側に入りこませることにより、前記取り付け部を前記支持部に取り付ける照明スタンドの取り付け構造であって、前記係合部が前記側方突出部の下側に所定位置まで入り込むと、前記側方突出部が前記係合部を下側に押圧し、前記取り付け部を机の天板上面に対して押し付けるように、前記側方突出部又は前記係合部は、前後方向に向かって傾斜して形成されているものである。支持部の側方突出部が前方に向かって下側に傾斜してあるいは取り付け部の係合部が後方に向かって上側に形成されているため、係合部が側方突出部の下側に入り込むように取り付け部を前方にスライドさせた直後では、例えば、側方突出部と係合部との間に隙間があいている状態であっても、取り付け部を前方に所定位置までスライドさせることにより、係合部が側方突出部に当接又は接触し、側方突出部に当接又は接触した係合部が下側に押しやられて、その結果、取り付け部の下端部又は下端面が机の天板上面に押し付けられ、照明スタンドが机の天板上面に取り付けられることとなる。したがって、取り付け部を前方にスライドさせるだけの簡単な操作で照明スタンドを机の天板上面に取り付けることができるとともに、スライドした取り付け部が側方突出部及び机の天板上面に密着して挟まれた状態となるため、照明スタンドの十分な取り付け安定性を確保できる。
【０００７】
取り付け部はスタンド照明の底部に設けられているため、取り付け部をスライドさせたときに、一対の係合部がそれぞれ、支持部の側方突出部の下側に入り込んだかを目視して確認することが困難である。通常、側方突出部はそれぞれ、支持本体の幅方向両側の側面（外側に位置する側面、例えば支持本体の幅方向両側に形成された上方突出部の外側面）から外側に又は支持本体の幅方向両側に対向して配置されている側面（内側に位置する側面、例えば支持本体の幅方向両側に形成された上方突出部の内側面）から内側に突出するように形成され、係合部はそれぞれ、取り付け部の幅方向両側に対向して配置されている側面（内側に位置する側面、例えば取り付け部の幅方向両側に形成された下方突出部の内側面）から内側に又は取り付け部の幅方向両側の側面（外側に位置する側面、例えば取り付け部の幅方向両側に形成された下方突出部の外側面）から外側に突出するように形成される。そして、一対の係合部の側端が支持本体の幅方向両側の側面（外側に位置する側面、例えば支持本体の幅方向両側に形成された上方突出部の外側面）又は支持本体の幅方向両側に配置されている側面（内側に位置する側面、例えば支持本体の幅方向両側に形成された上方突出部の内側面）に、あるいは、一対の側方突出部の側端が取り付け部の幅方向両側に配置されている側面（内側に位置する側面、例えば取り付け部の幅方向両側に形成された下方突出部の内側面）又は取り付け部の幅方向両側の側面（外側に位置する側面、例えば取り付け部の幅方向両側に形成された下方突出部の外側面）に当接又は接触することにより、取り付け部が支持部に対して幅方向にずれないように構成される。したがって、取り付け部をスライドさせて支持部に取り付ける際に、例えば、取り付け部の前端部が支持部の後端部に当接又は接触して、一対の係合部をそれぞれ、側方突出部の下側に入り込ませるのに手間取ってしまうおそれがある。そこで、側方突出部をそれぞれ、支持本体の幅方向両側の側面（外側に位置する側面、例えば支持本体の幅方向両側に形成された上方突出部の外側面）から外側に突出するように形成し、係合部をそれぞれ、取り付け部の幅方向両側に対向して配置されている側面（内側に位置する側面、例えば取り付け部の幅方向両側に形成された下方突出部の内側面）から内側に突出するように形成する場合には、支持本体の幅方向両側の側面間の幅を、前方に向かって漸次大きくなるように設定し、それぞれの係合部の側端が、全長又はほぼ全長にわたって支持本体の幅方向両側の側面に当接又は接触するように、あるいは、それぞれの側方突出部の側端が、全長又はほぼ全長にわたって取り付け部に幅方向両側に対向して配置されている側面に当接又は接触するように、取り付け部の幅方向両側に対向して配置されている側面の間隔を、支持本体の幅方向両側の側面間の幅に対応させて、前方に向かって漸次大きくなるように設定しておくことが効果的である。このような構成により、取り付け部を前方にスライドさせた際に、一対の係合部間に支持本体の幅方向両側の側面が入り込みやすくなるため、あるいは、取り付け部の幅方向両側に対向して配置されている側面間に一対の側方突出部が入り込みやすくなるため、取り付け部の支持部への取り付け作業性をより高めることができる。また、側方突出部をそれぞれ、支持本体の幅方向両側に対向して配置されている側面（内側に位置する側面、例えば支持本体の幅方向両側に形成された上方突出部の内側面）から内側に突出するように形成し、係合部をそれぞれ、取り付け部の幅方向両側の側面（外側に位置する側面、例えば取り付け部の幅方向両側に形成された下方突出部の外側面）から外側に突出するように形成する場合には、支持本体の幅方向両側に対向して配置されている側面間の幅を、前方に向かって漸次小さくなるように設定し、それぞれの係合部の側端が、全長又はほぼ全長にわたって支持本体の幅方向両側に対向して配置されている側面に当接又は接触するように、あるいは、それぞれの側方突出部の側端が、全長又はほぼ全長にわたって取り付け部の幅方向両側の側面に当接又は接触するように、取り付け部の幅方向両側の側面の間隔を、支持本体の幅方向両側に対向して配置されている側面間の幅に対応させて、前方に向かって漸次小さくなるように設定しておくことが効果的である。
【０００８】
ところで、係合部が側方突出部の下側に入り込んだ取り付け部を前方にスライドさせて支持部に取り付ける際には、取り付け部を十分に前方にスライド移動させないと、取り付け部の、机の天板上面への押し付けが不十分となってしまい、すなわち、照明スタンドの取り付け状態が不安定となってしまい、例えば、照明スタンドに不意の力が加わったときに、取り付け部が後方にスライドして支持部から外れ、照明スタンドが倒れてしまうといったおそれがある。そこで、支持本体に固定部を設けておき、係合部を側方突出部の下側にスライドさせて入り込ませたときに、この固定部とスナップ係合する抜け止め部を、取り付け部の所定の位置に設けておけば、固定部と抜け止め部とのスナップ係合により支持部に取り付けた取り付け部の後方へのスライドが防止され、照明スタンドの取り付け安定性をさらに高めることができる。
【０００９】
支持本体に設けた固定部と、取り付け部に設けた抜け止め部とをスナップ係合させる場合には、支持部に取り付けた取り付け部の取り外しが容易に可能となるように、固定部に解除部を形成しておき、この解除部を操作することにより、固定部と抜け止め部との係合を解除するように構成することが好ましい。
【００１０】
【発明の実施の形態】
以下、本発明の実施の形態を図面を参照して説明する。
【００１１】
図１は本発明の照明スタンドの取り付け構造により机の天板上面に取り付けられた照明スタンドの斜視図、図２は照明スタンドの取り付け構造の支持部の分解斜視図、図３は照明スタンドの取り付け構造の取り付け部の分解斜視図である。
【００１２】
照明スタンドの取り付け構造１によって机の天板上面３に取り付けられる照明スタンド５（図１では机の天板上面３に取り付けられた状態）は、上方に延びる脚部７と、この脚部７の上端に設けられた、複数のヒンジ９を有する可動部１１と、この可動部１１の先端又は上端に設けられた、蛍光灯１３を有する照明部１５と、を備え、複数のヒンジ９がそれぞれ回動することによって照明部１１の角度を自在に変更できるように構成されている。なお、符号１７は、例えば、照明部１１の角度変更操作を行なうための摘み部であり、符号１９、２１はそれぞれ、蛍光灯１３に電力を供給するためのコード、蛍光灯１３への電力の供給を操作するためのスイッチである。
【００１３】
照明スタンドの取り付け構造１は、机の天板上面３に固定される支持部２３と、照明スタンド５の脚部７の底部２５に設けられた取り付け部２７と、を備え、支持部２３は、金属製の支持プレート２９と、支持プレート２９上に設けられた樹脂製のストッパ部材３１と、から構成されている。
【００１４】
支持プレート２９は、前側部３３及びこの前側部３３よりも幅の狭い後側部３５を有する支持本体３７と、支持本体３７の後側部３５の幅方向両側又は幅方向両端部から上方に突出する上方突出部３９、３９と、上方突出部３９、３９の上端部に設けられた、又は上方突出部３９、３９の外側面（幅方向両側の側面）の上端部から幅方向外側に突出して前後方向に延びる一対の側方突出部４１、４１と、を備えている。前側部３３の前端辺４３及び後側部３５の後端辺４５はそれぞれ、照明スタンド５の脚部７の底部２５の形状と対応するように円弧状に形成され、前側部３３の前端辺４３側中央部には長方形状の解除用凹部４７が、また、後側部３５の後端辺４５側中央部には半楕円又は半長円状のネジ用凹部４９が、それぞれ形成されていて、前側部３１の、解除用凹部４７の幅方向両側位置には楕円状又は長円状のネジ孔５１、５１が形成されている。後側部３５の上方突出部３９、３９間の幅は、前方に向かって漸次大きくなるように設定されていて、それぞれの上方突出部３９は、前方に向かって漸次低くなるように、すなわち、上端部が前方に向かって下側に傾斜して形成されている。したがって、一対の側方突出部４１、４１は、前方に向かって、漸次間隔が大きくなるように、かつ、下側に傾斜して設けられている。
【００１５】
ストッパ部材３１は、幅方向両側にネジ孔５３、５３を有する、プレート状の基部５５と、この基部５５の幅方向中央部から所定の高さで前方に突出する固定部５７と、を備え、基部５５の底面の幅方向中央部には、前後方向にわたって変形用凹部５９が形成されていて、したがって、基部５５の幅方向中央部は弾性変形しやすいように薄肉に形成されていて、基部５５前端の、固定部５７の幅方向両側に対応する位置には、長さ方向に延びる変形用細溝６１、６１が形成されている。固定部５７は、変形用凹部５９の高さよりもさらに高い位置に設けられ、上面に、上方に突出する円弧状の係止部６３と、この係止部６３の前方に間隔を有して設けられた、上方に突出する円弧状の解除部６５と、を有していて、係止部６３及び解除部６５の間には、円弧状の係止溝６７が構成されている。係止部６３は、後端面６９が上側に向かって前方に傾斜して形成され、上端面７１が水平又はほぼ水平となるように形成されていて、前端面７３がほぼ垂直となるように又は下側に向かって若干前方に傾斜して形成されている。解除部６５は、例えば指で押圧したときに違和感がないように断面半円状に形成されている。ストッパ部材３１は、係止部６３又は解除部６５に下側の力を作用させると、基部５５の幅方向中央部あるいは固定部５７自体の弾性変形により、固定部５７が下側に押しやられるように構成されている。
【００１６】
支持プレート２９及びストッパ部材３１は、支持プレート２９のネジ孔５１、５１と、ストッパ部材３１のネジ孔５３、５３との位置を合わせた状態で例えば木ネジ７５、７５をそれぞれ通し、かつ、支持プレート２９のネジ用凹部４９にも木ネジ７５を通して、それぞれの木ネジ７５を机の天板上面３に止めることにより、机の天板上面３に固定される。
【００１７】
取り付け部２７は、底面開口の箱型に形成された、樹脂製の取り付けカバー７７と、この取り付けカバー７７内に収容されるように設けられた、金属製の取り付けプレート７９と、を備えている。
【００１８】
取り付けカバー７７は、上面部８１と、側面部８２と、を備え、側面部８２は、ストレートに平行に延びる幅方向両側の幅方向側面８３、８３と、円弧状に形成された前側円弧状側面８５及び後側円弧状側面８７と、から構成されていて、照明スタンド５の脚部７の底部２５と対応するような形状を有している。また、幅方向側面８３、８３間の間隔は、支持プレート２９の前側部３３の幅よりもやや大きく設定されている。上面部８１には、照明スタンド５の脚部７の底部２５に形成された嵌め込み凹部（図示せず）に嵌まり込む嵌め込み凸部８９が形成され、前側及び後側の幅方向中央位置にネジ孔９１、９１が形成されている。前側円弧状側面８５の下端部には、幅方向にわたって収容凹部９３が形成され、収容凹部９３は、幅方向両端部に形成された、支持プレート２９の前側部３３の厚みよりもやや大きい高さ又は深さを有する挿入用隙間部９５、９５と、それぞれの挿入用隙間部９５の幅方向内側に形成された、支持プレート２９の側面３９又は側方突出部４１の上端の高さよりもやや大きい高さ又は深さを有する挿入用凹部９７と、を有していて、前側円弧状側面８５の挿入用凹部９７、９７間には、挿入用凹部９７の上端部又は上端面よりも僅かに下側に突出する抜け止め突部９９（抜け止め部）が形成されている。
【００１９】
取り付けプレート７９は、取り付けカバー７７の側面部８２又は支持プレート２９と対応するような形状を有していて、前側部１０１及びこの前側部１０１よりも幅の狭い後側部１０３を有する取り付け本体１０５と、取り付け本体１０５の後側部１０３の幅方向両側又は幅方向両端部から下方に突出する下方突出部１０７、１０７と、下方突出部１０７、１０７の下端部に設けられた、又は下方突出部１０７、１０７の内側面（幅方向両側に対向して配置されている側面）の下端部から幅方向内側に突出して水平又はほぼ水平に前後方向に延びる一対の係合部１０９、１０９と、を備え、前側部１０１及び後側部１０３には、取り付けカバー７７のネジ孔９１、９１に対応してネジ孔１１１がそれぞれ形成されている。前側部１０１は、支持プレート２９の前側部３３と等しい又はほぼ等しい幅を有し、前側部１０１の前端辺１１３及び後側部１０３の後端辺１１５はそれぞれ、支持プレート２９の前側部３３の前端辺４３及び後側部３５の後端辺４５と対応して、あるいは、取り付けカバー７７の前側円弧状側面８５及び後側円弧状側面８７と対応して、円弧状に形成されている。後側部１０３の下方突出部１０７、１０７間の幅又は一対の係合部１０９、１０９間の間隔は、支持プレート２９の後側部３５の上方突出部３９、３９間の幅に対応して、前方に向かって漸次大きくなるように設定され、下方突出部１０７、１０７間の幅は、前後方向に対応して一対の側方突出部４１、４１の側端あるいは外端同士の間隔と等しく又はほぼ等しく設定されていて、一対の係合部１０９、１０９の側端又は外端同士の間隔は、前後方向に対応して支持プレート２９の上方突出部３９、３９間の幅よりも多少大きく設定されている。
【００２０】
取り付けカバー７７及び取り付けプレート７９、すなわち、取り付け部２７は、照明スタンド５の脚部７の底部２５に形成された嵌め込み凹部内に取り付けカバー７７の嵌め込み凸部８９を嵌め込み、取り付けカバー７７内に取り付けプレート７９を収容した状態で、取り付けカバー７７のネジ孔９１、９１と、取り付けプレート７９のネジ孔１１１、１１１との位置を合わせて、ネジ１１７、１１７で照明スタンド５の脚部７の底部２５にネジ止めすることにより、照明スタンド５の脚部７の底部２５に固定される。
【００２１】
照明スタンド５を机の天板上面３に取り付けるときは、取り付け部２７を、支持部２３の後方側から机の天板上面３に沿って、支持プレート２９を収容凹部９３から取り付けカバー７７内に収容するように前方にスライドさせて（図４参照：図４は照明スタンドの取り付け構造１の取り付け方法を説明するための斜視図）、取り付けプレート７９のそれぞれの係合部１０９を支持プレート２９の側方突出部４１の下側に入り込ませる（図５参照：図５は照明スタンドの取り付け構造１の取り付け方法を説明するための断面図）。取り付けプレート７９の下方突出部１０７又は係合部１０９の前端部が支持プレート２９の側方突出部４１あるいは上方突出部３９の後端部に当接又は接触しにくいように、上方突出部３９、３９間の幅、一対の側方突出部４１、４１の間隔、下方突出部１０７、１０７間の幅及び一対の係合部１０９、１０９の間隔はそれぞれ、前方に向かって漸次大きくなるように設定されているため、それぞれの係合部１０９を側方突出部４１の下側に容易に入り込ませることができる。係合部１０９を側方突出部４１の下側に入り込ませた直後の状態では、係合部１０９と側方突出部４１との間に僅かに隙間があいているが、側方突出部４１は前方に向かって下側に傾斜しているため、取り付け部２７を前方にスライドさせるにしたがって、係合部１０９又は係合部１０９の前端部は、側方突出部４１に接するように近づいていく。取り付け部２７をさらに前方にスライドさせると、取り付けカバー７７の前側円弧状側面８５に構成された抜け止め突部９９は、ストッパ部材３１の固定部５７に形成された係止部６３の後端面６９に当接又は接触するが、係止部６３の後端面６９は上側に向かって前方に傾斜して形成されているため、固定部５７又は固定部５７に形成された係止部６３を下側に押しやり、係止部６３上を通過する。そして、抜け止め突部９９が係止溝６７内に入り込んで固定部５７とスナップ係合するまで、かつ、側方突出部４１の側端又は外端がそれぞれ、取り付けプレート７９の側面１０７に全長あるいはほぼ全長にわたって当接又は接触するまで、取り付け部２７を前方にスライドさせ、支持プレート２９が取り付けカバー７７内に完全に収容された状態になると（図６参照：図６は照明スタンドの取り付け構造１の取り付け状態を示す断面図）、係合部１０９が側方突出部４１に当接又は接触して下側に押しやられ、取り付け部２７又は取り付けカバー７７あるいは取り付けカバー７７の幅方向側面８３、８３及び後側円弧状側面８７の下端部が机の天板上面３に対して押し付けられるため、取り付け部２７が支持部２３に取り付けられる、すなわち、照明スタンド５を机の天板上面３に取り付けられる又は固定される（図１の状態）。この状態では、取り付けカバー７７の抜け止め突部９９がストッパ部材３１の固定部５７の係止溝６７内に入り込んでスナップ係合しているため、取り付け部２７は支持部２３に対して抜け止め状態で取り付けられている。
【００２２】
照明スタンド５を机の天板上面３から取り外す、すなわち、取り付け部２７を支持部２３から取り外すときは、ストッパ部材３１の解除部６５を下側に押圧して固定部５７又は係止部６３を下側に押しやり、取り付けカバー７７の抜け止め突部９９と固定部５７の係止溝６７との係合を解除した状態で（図７参照：図７は照明スタンドの取り付け構造１の取り外し方法を説明するための断面図）、取り付けプレート７９のそれぞれの係合部１０９が、支持プレート２９の側方突出部４１の下側から抜け出るまで、取り付け部２７を後方に移動させる。
【００２３】
なお、支持プレート２９の一対の側方突出部４１を前方に向かって下側に傾斜して形成する代わりに、取り付けプレート７９の一対の係合部１０９を後方に向かって上側に傾斜して形成してもよい。また、支持部２３の支持プレートを取り付け部２７の取り付けプレート７９のような形状に形成し、すなわち、一対の側方突出部を支持プレートの上方突出部内側面から内側に突出するように形成し、取り付け部２７の取り付けプレートを支持部２３の支持プレート２９のような形状に形成してもよい、すなわち、一対の係合部を取り付けプレートの下方突出部外側面から外側に突出するように形成してもよい。このような場合には、一対の側方突出部の間隔及び一対の係合部の間隔が前方に向かって漸次小さくなるように、支持プレート及び取り付けプレートを形成する。さらに、取り付け部２７の支持部２３への取り付け時に、一対の側方突出部４１の側端がそれぞれ、取り付けプレート７９の下方突出部１０７に全長あるいはほぼ全長にわたって当接又は接触するように構成する代わりに、一対の係合部の側端がそれぞれ、支持プレートの上方突出部に全長あるいはほぼ全長にわたって当接又は接触するように構成してもよい。
【００２４】
【発明の効果】
以上説明したように、本発明の照明スタンドの取り付け構造を用いれば、簡単な操作で照明スタンドを机の天板上面に取り付けることができ、しかも、照明スタンドの十分な取り付け安定性を確保することが可能となる。
【図面の簡単な説明】
【図１】本発明の照明スタンドの取り付け構造により机の天板上面に取り付けられた照明スタンドの斜視図である。
【図２】本発明に係る照明スタンドの取り付け構造の支持部の分解斜視図である。
【図３】照明スタンドの取り付け構造の取り付け部の分解斜視図である。
【図４】照明スタンドの取り付け構造の取り付け方法を説明するための斜視図である。
【図５】照明スタンドの取り付け構造の取り付け方法を説明するための断面図である。
【図６】照明スタンドの取り付け構造の取り付け状態を示す断面図である。
【図７】照明スタンドの取り付け構造の取り外し方法を説明するための断面図である。
【符号の説明】
１                              照明スタンドの取り付け構造
３                              机の天板上面
５                              照明スタンド
２３                            支持部
２５                            底部
２７                            取り付け部
３７                            支持本体
４１                            側方突出部
１０９                          係合部
【図１】
2004261401.tif 000003
【図２】
2004261401.tif 000004
【図３】
2004261401.tif 000005
【図４】
2004261401.tif 000006
【図５】
2004261401.tif 000007
【図６】
2004261401.tif 000008
【図７】
2004261401.tif 000009